(57)【要約】【課題】  ＡＤＳＬ通信回線の使用中に、４ｋＨｚ以下の回線を使用中として外部からの着信を拒否することにより、使用中のＡＤＳＬ回線が切れないようにするＡＤＳＬ通信装置を提供する。【解決手段】  ＩＰ電話を使用中か判断し、ＩＰ電話が使用中の場合、スプリッタ１０５の先のアナログ電話装置Ｂが使用中か判断する。使用していない場合には、ＩＰ電話使用中にダイヤル装置から発呼する相手先の発呼番号が登録されているか判断する。登録されている場合には、回線を閉結し発呼して、発呼した履歴を保存する。ＩＰ電話を使用していない場合には、ダイヤル装置で発呼した履歴があるか判断する。発呼した履歴がある場合には、回線を開放し発呼履歴をクリアする。【選択図】  図１
2006253972.tif 000002
【特許請求の範囲】
【請求項１】
音声帯域信号をデータ信号に変換するＩＰ電話アダプタと、
前記ＩＰ電話アダプタに接続して、前記データ信号をＡＤＳＬ信号に変換するＡＤＳＬモデムと、
前記ＡＤＳＬモデムに接続して、前記ＡＤＳＬ信号を音声帯域信号とデータ信号とに分離するスプリッタと、
前記スプリッタに接続して、ダイヤル信号を発生させるダイヤル装置と、
外部機器から特定の相手先を登録する登録手段とを有し、
第１の電話装置から前記ＩＰ電話アダプタを介してＩＰ電話回線を使用する際に、ＩＰ電話回線を使用すると同時に、前記ダイヤル装置から前記特定の相手先に発呼して、電話回線を閉結することを特徴とするＡＤＳＬ通信装置。
【請求項２】
前記ＩＰ電話回線の使用が終了すると同時に、閉結した前記電話回線を開放することを特徴とする請求項１に記載のＡＤＳＬ通信装置。
【請求項３】
前記スプリッタと前記ダイヤル装置との間の回線をモニタする回線モニタと、
前記ダイヤル装置と第２の電話装置とを接続可能なアダプタをさらに有し、
前記第１の電話装置から前記ＩＰ電話アダプタを介してＩＰ電話回線を使用する際に、前記第２の電話装置が使用されていない場合には、前記ダイヤル装置から前記特定の相手先に発呼して、電話回線を閉結することを特徴とする請求項１又は２に記載のＡＤＳＬ通信装置。
【発明の詳細な説明】
【技術分野】
【０００１】
本発明は、ＡＤＳＬ通信装置に関し、特に、アナログ公衆回線からの受信時にも正常にＡＤＳＬ通信を行うことができるＡＤＳＬ通信装置に関する。
【背景技術】
【０００２】
近年、通信の分野において、インターネットの高速化・大容量通信化時代を迎え、ネットワークの高速化と通信料金の低価格化が進んでいる。中でも、既存のアナログ電話回線を用いて高速データ通信を行うＡＤＳＬ（Asymetric Digital Subscriber Line）通信が普及してきている。
【０００３】
このＡＤＳＬ通信では、通常の電話サービスで使用していない４ｋＨｚ以上の電話音声帯域を使ってデータ通信を行い、４ｋＨｚ以下の電話音声帯域では従来どおりの電話サービスを提供している。このようにして、通常の電話サービスに利用するようなアナログ公衆回線と、ＡＤＳＬ通信に利用するようなデジタル専用回線との双方に接続・利用が可能な状態にしている。
【０００４】
また、電話サービスの１つとして、音声をデータ信号化してインターネット上でやり取りを行う、いわゆるインターネット電話（ＩＰ電話）も普及しつつある。このＩＰ電話を利用すると、通信料金が安くかつ距離に無関係で通話が可能となる。最近では特に、ＩＰ電話にはＡＤＳＬ通信が利用されている。
【０００５】
アナログ公衆回線とデジタル専用回線との双方に接続が可能な発明としては、特許文献１に記載の発明が開示されている。この発明は、ｘＤＳＬを使用したインターネット接続のための設置・設定の煩雑さを避けることができるファクシミリ装置を提供するものである。
【特許文献１】特開２００３−００８８２１号公報
【発明の開示】
【発明が解決しようとする課題】
【０００６】
しかし従来の技術には、以下に述べるような問題があった。
【０００７】
ＡＤＳＬ通信を実現するアナログ回線は、公衆回線網と接続する際に保安器を介する。しかし、特定の保安器では電話が着信した場合に、４ｋＨｚ以上の高周波帯域のノイズを出すことがある。例えば、ＡＤＳＬ通信を使ったＩＰ電話を使用中にアナログ電話の着信があった場合には、このノイズがＡＤＳＬ通信に利用されている４ｋＨｚ以上の電話音声帯域に影響を及ぼすことになる。
【０００８】
したがって、ＡＤＳＬ通信の回線へのリンクが切れてしまい、アナログ回線の電話を受けてしまうという不具合が発生してしまう。これを解決するには、保安器自体の交換をユーザが有料で行うしかなかった。
【０００９】
このような課題に鑑み、本発明は、ＡＤＳＬ通信回線の使用中に、４ｋＨｚ以下の回線を使用中として外部からの着信を拒否することにより、使用中のＡＤＳＬ回線が切れないようにするＡＤＳＬ通信装置を提供することを目的としている。
【課題を解決するための手段】
【００１０】
上記課題を解決するため、請求項１に記載の発明は、音声帯域信号をデータ信号に変換するＩＰ電話アダプタと、前記ＩＰ電話アダプタに接続して、前記データ信号をＡＤＳＬ信号に変換するＡＤＳＬモデムと、前記ＡＤＳＬモデムに接続して、前記ＡＤＳＬ信号を音声帯域信号とデータ信号とに分離するスプリッタと、前記スプリッタに接続して、ダイヤル信号を発生させるダイヤル装置と、外部機器から特定の相手先を登録する登録手段とを有し、第１の電話装置から前記ＩＰ電話アダプタを介してＩＰ電話回線を使用する際に、ＩＰ電話回線を使用すると同時に、前記ダイヤル装置から前記特定の相手先に発呼して、電話回線を閉結するＡＤＳＬ通信装置であることを特徴とする。
【００１１】
請求項２に記載の発明は、請求項１に記載のＡＤＳＬ通信装置において、前記ＩＰ電話回線の使用が終了すると同時に、閉結した前記電話回線を開放することを特徴とする。
【００１２】
請求項３に記載の発明は、請求項１又は２に記載のＡＤＳＬ通信装置において、前記スプリッタと前記ダイヤル装置との間の回線をモニタする回線モニタと、前記ダイヤル装置と第２の電話装置とを接続可能なアダプタをさらに有し、前記第１の電話装置から前記ＩＰ電話アダプタを介してＩＰ電話回線を使用する際に、前記第２の電話装置が使用されていない場合には、前記ダイヤル装置から前記特定の相手先に発呼して、電話回線を閉結することを特徴とする。
【発明の効果】
【００１３】
このように、本発明のＡＤＳＬ通信装置によれば、ＡＤＳＬ通信回線の使用中に、４ｋＨｚ以下の回線を使用中として外部からの着信を拒否することにより、使用中のＡＤＳＬ回線が切れないようにすることが可能となる。さらには、保安器を有料で交換する必要がなくなるので、ユーザの経済的な負担が減少する。
【発明を実施するための最良の形態】
【００１４】
以下に、本実施形態のＡＤＳＬ通信装置を、図面を用いて説明する。
図１は、本実施形態のＡＤＳＬ通信装置の構成の一例を示すブロック図である。
【００１５】
本実施形態のＡＤＳＬ通信装置は、ＣＰＵ１０１と、メモリ１０２と、ＩＰ電話アダプタ制御部１０３と、ＡＤＳＬモデム制御部１０４と、スプリッタ１０５と、ダイヤル装置１０６と、回線モニタ１０７と、Ｅｔｈｅｒｎｅｔ（登録商標）線１０８と、ＡＤＳＬ用信号線１０９と、電話用信号線１１０と、システムバス１１１とで構成される。
【００１６】
ＣＰＵ１０１は、ＡＤＳＬ通信装置に内蔵されたプログラムに従って装置全体を管理、制御する。メモリ１０２は、ＡＤＳＬ通信装置全体の制御情報やダイヤル装置から発呼する番号を記憶する。
【００１７】
ＩＰ電話アダプタ制御部１０３は、音声帯域信号をデータ信号へと変換する。また、ＡＤＳＬモデム制御部１０４は、データ信号をＡＤＳＬ信号へとを変換する。さらに、スプリッタ１０５は、ＡＤＳＬ信号と音声帯域信号とを分離合成する。
【００１８】
ダイヤル装置１０６は、回線を閉結してＤＴＭＦ（Dial Tone Multi Frequency）やダイヤルパルスを発生させる。回線モニタ１０７は、回線が使用中か否かをモニタする。
【００１９】
ＬＡＮ１０８は、ＩＰ電話アダプタ制御部１０３とＡＤＳＬモデム制御部１０４とを接続する。ＡＤＳＬ用信号線１０９は、ＡＤＳＬモデム制御部１０４とスプリッタ１０５とを接続する。電話用信号線１１０は、スプリッタ１０５とダイヤル装置１０６と回線モニタ１０７を接続する。
【００２０】
そして、ＣＰＵ１０１と、メモリ１０２と、ＩＰ電話制御部１０３と、ＡＤＳＬモデム１０４と、ダイヤル装置１０５と、回線モニタ１０６とが、システムバス１１１を介して接続される。
【００２１】
ここで、ＩＰ電話アダプタ制御部１０３では、アナログ電話装置Ａを接続するモジュラージャックを備える。また、スプリッタ１０５では、アナログ電話装置Ｂを接続するモジュラージャックと、ＡＤＳＬ信号＋音声帯域信号とを混合した信号を運ぶ公衆回線用のモジュラージャックとを備える。
【００２２】
次に、ダイヤル装置から発呼する相手先を登録する場合を、図面を用いて説明する。
図２は、アナログ電話装置ＡからＩＰ電話アダプタを使用したＩＰ電話使用中に、ダイヤル装置から発呼する相手先を登録するフローチャートである。
【００２３】
まず「電話番号を入力して、ダイヤルパルスかＤＴＭＦかを選択してください」と表示する（ステップＳ２０１）。そして電話番号が入力されたかどうかの判断と、ダイヤルパルスあるいはＤＴＭＦのうちのいずれが入力されたのかを判断する（ステップＳ２０２）。ここで、ステップＳ２０２において、入力が確認された場合には（ステップＳ２０２／Ｙｅｓ）、相手の発呼先と、ダイヤルパルスかＤＴＭＦかの区別とをメモリに登録する（ステップＳ２０３）。一方、ステップＳ２０２において、入力が確認されなかった場合には（ステップＳ２０２／Ｎｏ）、そのまま処理を終了する。
【００２４】
次に、本実施形態の動作を図面を用いて説明する。
図３は、ＩＰ電話を使用中かどうか判断した際の処理に関するフローチャートである。
【００２５】
まず、ＩＰ電話使用中かどうかを判断する（ステップＳ３０１）。ＩＰ電話が使用中の場合には（ステップＳ３０１／Ｙｅｓ）、次に、スプリッタ１０５の先のアナログ電話装置Ｂが使用中かどうかを判断する（ステップＳ３０２）。
【００２６】
アナログ電話装置Ｂが使用中の場合には（ステップＳ３０２／Ｙｅｓ）、ステップＳ３０１へと遷移する。アナログ電話装置Ｂを使用していない場合には（ステップＳ３０２／Ｎｏ）、ＩＰ電話使用中にダイヤル装置から発呼する相手先の発呼番号が、メモリ１０２に登録されているかを判断する（ステップＳ３０３）。
【００２７】
相手先の発呼番号が登録されていない場合には（ステップＳ３０３／Ｎｏ）、ステップＳ３０１へと遷移する。相手先の発呼番号が登録されている場合には（ステップＳ３０３／Ｙｅｓ）、回線を閉結し発呼する（ステップＳ３０４）。そして発呼した履歴を保存し（ステップＳ３０５）、ステップＳ３０１へと遷移する。
【００２８】
一方、ＩＰ電話を使用していない場合には（ステップＳ３０１／Ｎｏ）、ダイヤル装置で発呼した履歴があるかどうかを判断する（ステップＳ３０６）。発呼した履歴がない場合には（ステップＳ３０６／Ｎｏ）、ステップＳ３０１へと遷移する。発呼した履歴がある場合には（ステップＳ３０６／Ｙｅｓ）、回線を開放して発呼履歴をクリアし、ステップＳ３０１へと遷移する。
【００２９】
このように、本実施形態のＡＤＳＬ通信装置によれば、ＩＰ電話が使用中になると、４ｋＨｚ以下の帯域を使って特定相手先（例えば自分のＩＰ電話）に発呼して、アナログ電話回線を使用中としてしまう。したがって、外部からの着信による影響でＩＰ電話が切れてしまうことがなくなる。
【００３０】
また、逆に、ＩＰ電話の使用後と同時にアナログ回線を開放するので、ＩＰ電話を使用していない場合には通常通り回線が使用可能となる。よって、資源の有効活用ができる。さらに、４ｋＨｚ以下の帯域を使用している否かを確認してから特定相手先に発呼するので、、４ｋＨｚ以下の帯域を、電話の使用として有効に活用することができる。
【００３１】
なお、本実施形態のＡＤＳＬ通信装置は上述したものに限定されず、その趣旨を逸脱しない範囲において種々変更が可能である。例えば、本実施形態ではＩＰ電話を行う電話機と４ｋＨｚ以下の帯域を使う電話機とを別にして記述したが、リレーの切り替えを行うことにより一つの電話機でも適用が可能である。
【図面の簡単な説明】
【００３２】
【図１】本実施形態のＡＤＳＬ通信装置の構成を示すブロック図である。
【図２】本実施形態において、アナログ電話装置ＡからＩＰ電話アダプタを使用したＩＰ電話使用中に、ダイヤル装置から発呼する相手先を登録するフローチャートである。
【図３】本実施形態において、ＩＰ電話を使用中かどうか判断した際の処理に関するフローチャートである。
【符号の説明】
【００３３】
１０１    ＣＰＵ
１０２    メモリ
１０３    ＩＰ電話アダプタ制御部
１０４    ＡＤＳＬモデム制御部
１０５    スプリッタ
１０６    ダイヤル装置
１０７    回線藻モニタ
１０８    ＬＡＮ
１０９    ＡＤＳＬ信号線
１１０    電話用信号線
１１１    システムバス
【図１】
2006253972.tif 000003
【図２】
2006253972.tif 000004
【図３】
2006253972.tif 000005